(57)【要約】【課題】ＦＰＤを用いた放射線画像検出装置に内蔵されたＡＥＣ信号出力装置とＸ線画像検出装置とは別体のＡＥＣ信号出力装置を併用する場合の安全性を高める。【解決手段】規制装置１５は、イオンチャンバー３０からの第１線量検出信号を線源制御装置１１に入力する経路、ＡＥＣ機能付き電子カセッテ１３からの第２線量検出信号を線源制御装置１１に入力する経路の間に接続される。規制装置１５は、各経路のうちのいずれか１つの経路を選択するセレクタ５６を有する。イオンチャンバー３０、電子カセッテ１３のオンオフ指定がいずれもオンであった場合、制御部５７は、電子カセッテ１３からの第２線量検出信号を線源制御装置１１に入力する経路を選択するようセレクタ５６を動作させる。【選択図】図２
2014044856.tif 000002
【特許請求の範囲】
【請求項１】
被写体に向けて放射線を照射する放射線源と、
前記放射線源の駆動を制御する線源制御装置とを有する放射線発生装置と、
被写体を透過した放射線を受けて被写体の放射線画像を電気信号に変換して出力するＦＰＤを有する放射線画像検出装置と、
前記放射線画像検出装置に照射される放射線の線量を検出して前記放射線画像の露出制御をするための第１、第２ＡＥＣ信号を出力する第１、第２ＡＥＣ信号出力装置と、
前記線源制御装置に設けられ、前記第１、第２ＡＥＣ信号のいずれかに基づいて前記放射線源による放射線の照射を停止する制御を実行する制御部とを備え、
前記第１ＡＥＣ信号出力装置は前記放射線画像検出装置とは別体で設けられ、
前記第２ＡＥＣ信号出力装置は前記放射線画像検出装置に内蔵され、
前記放射線発生装置には、前記第１ＡＥＣ信号出力装置および前記放射線画像検出装置が同時に通信可能に接続される放射線撮影システムに用いられ、
前記第１、第２ＡＥＣ信号が前記制御部に同時に入力されることを規制する規制処理を実行する規制処理部を備えることを特徴とする規制装置。
【請求項２】
前記第１ＡＥＣ信号出力装置を使用するか否かを表すオンオフ指定情報を含む第１ＡＥＣ設定情報と、前記第２ＡＥＣ信号出力装置を使用するか否かを表すオンオフ指定情報を含む第２ＡＥＣ設定情報を取得する設定情報取得部を有し、
前記規制処理部は、前記設定情報取得部で取得した第１、第２ＡＥＣ設定情報に基づいて、前記規制処理を実行することを特徴とする請求項１に記載の規制装置。
【請求項３】
前記規制処理は、前記第１、第２ＡＥＣ設定情報のオンオフ指定情報がいずれもオン指定の場合に、一方を有効にして他方を無効にする排他処理であることを特徴とする請求項２に記載の規制装置。
【請求項４】
前記排他処理は、前記第１、第２ＡＥＣ設定情報のオンオフ指定情報をコマンド送信により変更する設定変更処理であることを特徴とする請求項３に記載の規制装置。
【請求項５】
前記第１ＡＥＣ信号を前記第１ＡＥＣ信号出力装置から前記制御部に入力するための第１入力経路と、前記第２ＡＥＣ信号を前記第２ＡＥＣ信号出力装置から前記制御部に入力するための第２入力経路を選択的に切り替えるセレクタを有し、
前記排他処理は、前記セレクタによって第１、第２入力経路の一方を選択する経路選択処理であることを特徴とする請求項３に記載の規制装置。
【請求項６】
前記第１、第２ＡＥＣ信号出力装置のいずれを優先させるかを示す優先情報を記憶する優先情報記憶部を有し、
前記規制処理部は、前記優先情報に基づいて前記排他処理を実行することを特徴とする請求項３ないし５のいずれか一項に記載の規制装置。
【請求項７】
前記優先情報の内容を設定操作により変更可能であることを特徴とする請求項６に記載の規制装置。
【請求項８】
前記規制処理は、前記第１、第２ＡＥＣ設定情報のオンオフ指定情報がいずれもオン指定の場合に、両方がオン指定であること、あるいは、一方だけをオン指定にすべきことを警告する警告処理であることを特徴とする請求項２に記載の規制装置。
【請求項９】
前記放射線撮影システムは、前記第１ＡＥＣ信号出力装置を使用するか否かを表すオンオフ指定情報を含む第１ＡＥＣ設定情報と、前記第２ＡＥＣ信号出力装置を使用するか否かを表すオンオフ指定情報を含む第２ＡＥＣ設定情報の両方の設定操作を、ディスプレイに操作画面として表示されるＧＵＩを通じて受け付ける操作入力装置を備え、
前記規制処理部は、第１、第２ＡＥＣ設定情報のオンオフ指定情報のうちの一方のみのオン指定の受け付けが可能な形態で前記ディスプレイに前記ＧＵＩを表示させることを特徴とする請求項１に記載の規制装置。
【請求項１０】
前記第１、第２ＡＥＣ設定情報には、前記オンオフ指定情報に加えて、前記第１、第２ＡＥＣ信号出力装置の採光野を指定する採光野指定情報が含まれており、
さらに、被写体の撮影部位を表す撮影部位情報を取得する撮影部位情報取得部と、
前記撮影部位情報と前記採光野指定情報を照合して、前記第１、第２ＡＥＣ信号出力装置のうち、前記採光野指定情報がより適切なＡＥＣ信号出力装置を判定する第１判定処理を実行する第１判定処理部とを備えることを特徴とする請求項２に記載の規制装置。
【請求項１１】
前記第１判定処理部は、前記第１、第２ＡＥＣ設定情報のオンオフ指定情報がいずれもオン指定の場合に前記第１判定処理を実行し、
前記規制処理部は、前記第１判定処理の結果に基づいて前記採光野指定情報がより適切なＡＥＣ信号出力装置を有効にして他方を無効にする排他処理を実行することを特徴とする請求項１０に記載の規制装置。
【請求項１２】
前記第１判定処理の結果に基づいて、前記第１、第２ＡＥＣ設定情報のオンオフ指定情報の内容が適切か否かを判定する第２判定処理を実行する第２判定処理部を備えることを特徴とする請求項１０に記載の規制装置。
【請求項１３】
前記排他処理は、前記第２判定処理で前記第１、第２ＡＥＣ設定情報のオンオフ指定情報の内容が適切ではないと判定された場合に、前記第１、第２ＡＥＣ設定情報のオンオフ指定情報をコマンド送信により前記第２判定処理の判定結果に基づく適切な内容に変更する設定変更処理であることを特徴とする請求項１２に記載の規制装置。
【請求項１４】
前記排他処理は、前記第２判定処理で前記指定内容が適切ではないと判定された場合に、前記指定内容が適切でないこと、あるいは、前記指定内容を適切な内容にすべきことを警告する警告処理であることを特徴とする請求項１２に記載の規制装置。
【請求項１５】
前記線源制御装置は、前記第１ＡＥＣ信号出力装置が接続されて前記第１ＡＥＣ信号が入力される第１ＡＥＣ用Ｉ／Ｆと、前記第２ＡＥＣ信号出力装置が内蔵された前記放射線画像検出装置が接続されて前記第２ＡＥＣ信号が入力される第２ＡＥＣ用Ｉ／Ｆとを有し、
前記規制処理は、前記第１ＡＥＣ信号出力装置と、前記放射線画像検出装置の第１、第２ＡＥＣ用Ｉ／Ｆへの接続状態を検知し、
前記第１ＡＥＣ信号出力装置と前記放射線画像検出装置の両方が前記第１、第２ＡＥＣ用Ｉ／Ｆに接続されていることを検知したときに、前記第１、第２ＡＥＣ用Ｉ／Ｆに入力される前記第１、第２ＡＥＣ信号の一方を無効にする排他処理であることを特徴とする請求項１に記載の規制装置。
【請求項１６】
前記線源制御装置に内蔵されていることを特徴とする請求項１ないし１５のいずれか一項に記載の規制装置。
【請求項１７】
前記線源制御装置および前記放射線画像検出装置とは別体であることを特徴とする請求項１ないし１５のいずれか一項に記載の規制装置。
【請求項１８】
前記放射線画像検出装置は、前記ＦＰＤが可搬型の筐体に収納された電子カセッテであることを特徴とする請求項１ないし１７のいずれか一項に記載の規制装置。
【請求項１９】
被写体に向けて放射線を照射する放射線源と、
前記放射線源の駆動を制御する線源制御装置とを有する放射線発生装置と、
被写体を透過した放射線を受けて被写体の放射線画像を電気信号に変換して出力するＦＰＤを有する放射線画像検出装置と、
前記放射線画像検出装置に照射される放射線の線量を検出して前記放射線画像の露出制御をするための第１、第２ＡＥＣ信号を出力する第１、第２ＡＥＣ信号出力装置であり、前記放射線画像検出装置とは別体で設けられた第１ＡＥＣ信号出力装置、および前記放射線画像検出装置に内蔵される第２ＡＥＣ信号出力装置と、
前記線源制御装置に設けられ、前記第１、第２ＡＥＣ信号のいずれかに基づいて前記放射線源による放射線の照射を停止する制御を実行する制御部と、
前記放射線発生装置に前記第１ＡＥＣ信号出力装置および前記放射線画像検出装置が同時に通信可能に接続される場合に、前記第１、第２ＡＥＣ信号出力装置がそれぞれ出力する前記第１、第２ＡＥＣ信号が前記制御部に同時に入力されることを規制する規制処理を実行する規制処理部を有する規制装置とを備えることを特徴とする放射線撮影システム。
【発明の詳細な説明】
【技術分野】
【０００１】
本発明は、被写体の放射線画像を撮影する放射線撮影システムおよびこれに用いられる規制装置に関する。
【背景技術】
【０００２】
医療分野において、放射線、例えばＸ線を利用したＸ線撮影システムが知られている。Ｘ線撮影システムは、Ｘ線を発生するＸ線発生装置と、被写体（患者）を透過したＸ線で形成されるＸ線画像を撮影するＸ線撮影装置とからなる。Ｘ線発生装置は、Ｘ線を被写体に向けて照射するＸ線源、Ｘ線源の駆動を制御する線源制御装置、およびＸ線の照射開始指示を線源制御装置に入力するための照射スイッチを有している。Ｘ線撮影装置は、被写体の各部を透過したＸ線に基づくＸ線画像を検出するＸ線画像検出装置、およびＸ線画像検出装置の駆動制御、Ｘ線画像の保存や表示を行うコンソールを有している。
【０００３】
最近、Ｘ線フイルムやイメージングプレート（ＩＰ）に代わり、Ｘ線画像検出装置としてフラットパネルディテクタ（ＦＰＤ；flat panel detector）を用いたものが普及している。ＦＰＤは、Ｘ線の入射量に応じた信号電荷を蓄積する画素が行列状に配置された撮像領域を有する。ＦＰＤは、画素毎に信号電荷を蓄積し、蓄積した信号電荷をＴＦＴ等のスイッチング素子を介して信号処理回路に読み出し、信号処理回路で電圧信号に変換することでＸ線画像を電気的に検出する。
【０００４】
ところで、医療現場では、ＦＰＤを用いたＸ線画像検出装置を導入した後も、今まで使用していたＸ線フイルムやイメージングプレートを併用したいという要望がある。こうした要望に応えるため、Ｘ線フイルムやイメージングプレートとＦＰＤを用いたＸ線画像検出装置の両方に対応したＸ線発生装置が販売されている。また、Ｘ線フイルムやイメージングプレート用のＸ線発生装置がＦＰＤを用いたＸ線画像検出装置に対応できるよう、Ｘ線フイルムやイメージングプレート用のＸ線発生装置に改造を施したり、特許文献１のように新たな装置を追加したりしている。
【０００５】
ＦＰＤはＸ線フイルムやイメージングプレートと異なり、Ｘ線画像に乗る暗電荷ノイズの影響を最小にするために画素から電荷を掃き出すリセット動作を定期的に行っており、したがってリセット動作を終了して蓄積動作を開始するタイミングとＸ線源のＸ線の照射開始タイミングとの同期をとる必要がある。そこで特許文献１では、照射スイッチ（オペレータ操作スイッチ）、線源制御装置（オペレータ操作コンソール、Ｘ線発生器）、およびＦＰＤを用いたＸ線画像検出装置（ＤＲレシーバパネル）が接続される信号中継装置（接続兼制御回路）を設け、この信号中継装置を介して照射スイッチからの照射開始指示の信号（露出信号）を線源制御装置とＸ線画像検出装置の両方に送ることで同期をとり、Ｘ線フイルムやイメージングプレート用のＸ線発生装置でＦＰＤを用いたＸ線画像検出装置が使用できるようにしている。
【０００６】
また、特許文献１には、Ｘ線画像検出装置とは別体のＡＥＣ（Automatic Exposure Control；自動露出制御）信号出力装置を用いて、Ｘ線の累積線量が目標線量に達したと判定したときにＸ線源によるＸ線の照射を停止させることが記載されている。ＡＥＣ信号出力装置は線源制御装置に繋がれ、Ｘ線の線量の検出結果、あるいはＸ線の累積線量が目標線量に達したか否かの判定結果といったＡＥＣ信号を線源制御装置に出力している。線源制御装置はＡＥＣ信号に基づいてＸ線の照射を停止する制御を実行する。
【先行技術文献】
【特許文献】
【０００７】
【特許文献１】特表２０１１−５０２６９９号公報
【発明の概要】
【発明が解決しようとする課題】
【０００８】
ＦＰＤを用いたＸ線画像検出装置には、専用のＡＥＣ信号出力装置が内蔵されているものがある。こうしたＡＥＣ信号出力装置と特許文献１に記載されているようなＸ線画像検出装置とは別体のＡＥＣ信号出力装置を併用したいという要望も当然ながらある。しかしながら、もし両ＡＥＣ信号出力装置が同時に用いられた場合は、両ＡＥＣ信号出力装置からのＡＥＣ信号が混信して線源制御装置が誤作動する等してＡＥＣが正しく機能しなくなり、被写体が無用な被曝に晒されるおそれがある。
【０００９】
特許文献１には、ＦＰＤが蓄積動作を開始するタイミングとＸ線の照射開始タイミングとの同期をとることは記載されているが、ＦＰＤを用いたＸ線画像検出装置にＡＥＣ信号出力装置は内蔵されておらず、したがってＦＰＤを用いたＸ線画像検出装置に内蔵されたＡＥＣ信号出力装置とＸ線画像検出装置とは別体のＡＥＣ信号出力装置を併用する場合の上記課題に対しての解決方法は記載されていない。
【００１０】
本発明は、上記課題を鑑みてなされたもので、ＦＰＤを用いた放射線画像検出装置に内蔵されたＡＥＣ信号出力装置とＸ線画像検出装置とは別体のＡＥＣ信号出力装置を併用する場合の安全性を高めることができる放射線撮影システムおよびこれに用いられる規制装置を提供することを目的とする。
【課題を解決するための手段】
【００１１】
上記目的を達成するために、本発明は、放射線発生装置と放射線画像検出装置と第１、第２ＡＥＣ信号出力装置と制御部とを備える放射線撮影システムに用いられる規制装置であり、放射線発生装置は、被写体に向けて放射線を照射する放射線源と、放射線源の駆動を制御する線源制御装置とを有する。放射線発生装置には、第１ＡＥＣ信号出力装置および放射線画像検出装置が同時に通信可能に接続される。放射線画像検出装置は、被写体を透過した放射線を受けて被写体の放射線画像を電気信号に変換して出力するＦＰＤを有する。第１、第２ＡＥＣ信号出力装置は、放射線画像検出装置に照射される放射線の線量を検出して放射線画像の露出制御をするための第１、第２ＡＥＣ信号を出力する。第１ＡＥＣ信号出力装置は放射線画像検出装置とは別体で設けられ、第２ＡＥＣ信号出力装置は放射線画像検出装置に内蔵されている。制御部は、線源制御装置に設けられ、第１、第２ＡＥＣ信号のいずれかに基づいて放射線源による放射線の照射を停止する制御を実行する。規制装置は、第１、第２ＡＥＣ信号が制御部に同時に入力されることを規制する規制処理を実行する規制処理部を備える。
【００１２】
第１ＡＥＣ信号出力装置を使用するか否かを表すオンオフ指定情報を含む第１ＡＥＣ設定情報と、第２ＡＥＣ信号出力装置を使用するか否かを表すオンオフ指定情報を含む第２ＡＥＣ設定情報を取得する設定情報取得部を有することが好ましい。規制処理部は、設定情報取得部で取得した第１、第２ＡＥＣ設定情報に基づいて、規制処理を実行する。
【００１３】
規制処理は、第１、第２ＡＥＣ設定情報のオンオフ指定情報がいずれもオン指定の場合に、一方を有効にして他方を無効にする排他処理である。
【００１４】
例えば排他処理は、第１、第２ＡＥＣ設定情報のオンオフ指定情報をコマンド送信により変更する設定変更処理である。
【００１５】
第１ＡＥＣ信号を第１ＡＥＣ信号出力装置から制御部に入力するための第１入力経路と、第２ＡＥＣ信号を第２ＡＥＣ信号出力装置から制御部に入力するための第２入力経路を選択的に切り替えるセレクタを有する場合、排他処理は、セレクタによって第１、第２入力経路の一方を選択する経路選択処理である。
【００１６】
第１、第２ＡＥＣ信号出力装置のいずれを優先させるかを示す優先情報を記憶する優先情報記憶部を有し、規制処理部は、優先情報に基づいて排他処理を実行する。優先情報の内容を設定操作により変更可能としてもよい。
【００１７】
規制処理は、第１、第２ＡＥＣ設定情報のオンオフ指定情報がいずれもオン指定の場合に、両方がオン指定であること、あるいは、一方だけをオン指定にすべきことを警告する警告処理である。
【００１８】
放射線撮影システムは、第１ＡＥＣ信号出力装置を使用するか否かを表すオンオフ指定情報を含む第１ＡＥＣ設定情報と、第２ＡＥＣ信号出力装置を使用するか否かを表すオンオフ指定情報を含む第２ＡＥＣ設定情報の両方の設定操作を、ディスプレイに操作画面として表示されるＧＵＩを通じて受け付ける操作入力装置を備えている。この場合、規制処理部は、第１、第２ＡＥＣ設定情報のオンオフ指定情報のうちの一方のみのオン指定の受け付けが可能な形態でディスプレイにＧＵＩを表示させる。
【００１９】
第１、第２ＡＥＣ設定情報に、オンオフ指定情報に加えて、第１、第２ＡＥＣ信号出力装置の採光野を指定する採光野指定情報が含まれている場合、被写体の撮影部位を表す撮影部位情報を取得する撮影部位情報取得部と、撮影部位情報と採光野指定情報を照合して、第１、第２ＡＥＣ信号出力装置のうち、採光野指定情報がより適切なＡＥＣ信号出力装置を判定する第１判定処理を実行する第１判定処理部とを備えることが好ましい。
【００２０】
第１判定処理部は、第１、第２ＡＥＣ設定情報のオンオフ指定情報がいずれもオン指定の場合に第１判定処理を実行し、規制処理部は、第１判定処理の結果に基づいて採光野指定情報がより適切なＡＥＣ信号出力装置を有効にして他方を無効にする排他処理を実行する。
【００２１】
第１判定処理の結果に基づいて、第１、第２ＡＥＣ設定情報のオンオフ指定情報の内容が適切か否かを判定する第２判定処理を実行する第２判定処理部を備えることが好ましい。
【００２２】
排他処理は、第２判定処理で第１、第２ＡＥＣ設定情報のオンオフ指定情報の内容が適切ではないと判定された場合に、第１、第２ＡＥＣ設定情報のオンオフ指定情報をコマンド送信により第２判定処理の判定結果に基づく適切な内容に変更する設定変更処理である。または、排他処理は、第２判定処理で指定内容が適切ではないと判定された場合に、指定内容が適切でないこと、あるいは、指定内容を適切な内容にすべきことを警告する警告処理である。
【００２３】
線源制御装置は、第１ＡＥＣ信号出力装置が接続されて第１ＡＥＣ信号が入力される第１ＡＥＣ用Ｉ／Ｆと、第２ＡＥＣ信号出力装置が内蔵された放射線画像検出装置が接続されて第２ＡＥＣ信号が入力される第２ＡＥＣ用Ｉ／Ｆとを有する。この場合、規制処理は、第１ＡＥＣ信号出力装置と、放射線画像検出装置の第１、第２ＡＥＣ用Ｉ／Ｆへの接続状態を検知し、第１ＡＥＣ信号出力装置と放射線画像検出装置の両方が第１、第２ＡＥＣ用Ｉ／Ｆに接続されていることを検知したときに、第１、第２ＡＥＣ用Ｉ／Ｆに入力される第１、第２ＡＥＣ信号の一方を無効にする排他処理である。
【００２４】
線源制御装置に内蔵されていてもよいし、線源制御装置および放射線画像検出装置とは別体であってもよい。また、放射線画像検出装置は、ＦＰＤが可搬型の筐体に収納された電子カセッテであることが好ましい。
【００２５】
また、本発明は、放射線発生装置と放射線画像検出装置と第１、第２ＡＥＣ信号出力装置と制御部と規制装置とを備える放射線撮影システムであり、放射線発生装置は、被写体に向けて放射線を照射する放射線源と、放射線源の駆動を制御する線源制御装置とを有する。放射線画像検出装置は、被写体を透過した放射線を受けて被写体の放射線画像を電気信号に変換して出力するＦＰＤを有する。第１、第２ＡＥＣ信号出力装置は、放射線画像検出装置に照射される放射線の線量を検出して放射線画像の露出制御をするための第１、第２ＡＥＣ信号を出力する。第１ＡＥＣ信号出力装置は放射線画像検出装置とは別体で設けられ、第２ＡＥＣ信号出力装置は放射線画像検出装置に内蔵されている。制御部は、線源制御装置に設けられ、第１、第２ＡＥＣ信号のいずれかに基づいて放射線源による放射線の照射を停止する制御を実行する。規制装置は、放射線発生装置に第１ＡＥＣ信号出力装置および放射線画像検出装置が同時に通信可能に接続される場合に、第１、第２ＡＥＣ信号出力装置がそれぞれ出力する第１、第２ＡＥＣ信号が制御部に同時に入力されることを規制する規制処理を実行する規制処理部を有する。
【発明の効果】
【００２６】
本発明によれば、ＦＰＤを用いた放射線画像検出装置とは別体の第１ＡＥＣ信号出力装置、および放射線画像検出装置に内蔵された第２ＡＥＣ信号出力装置がそれぞれ出力する第１、第２ＡＥＣ信号が制御部に同時に入力されることを規制処理部で規制するので、第１、第２ＡＥＣ信号出力装置を併用する場合の安全性を高めることができる。
【図面の簡単な説明】
【００２７】
【図１】Ｘ線撮影システムの概略図である。
【図２】第１実施形態のＸ線撮影システムの内部構成を示すブロック図である。
【図３】第１ＡＥＣ設定ウィンドウと第１ＡＥＣ設定情報を示す図である。
【図４】第２ＡＥＣ設定ウィンドウと第２ＡＥＣ設定情報を示す図である。
【図５】セレクタの動作表を示す図である。
【図６】規制処理の手順を示すフローチャートである。
【図７】Ｘ線撮影の手順を示すフローチャートである。
【図８】第２実施形態の規制装置の内部構成およびコマンド表を示すブロック図である。
【図９】線源制御装置に規制装置を内蔵させた例を示す図である。
【図１０】第３実施形態の線源制御装置の内部構成を示すブロック図である。
【図１１】第４実施形態の規制装置の内部構成を示すブロック図である。
【図１２】イオンチャンバーと電子カセッテのいずれか一方のオンオフ指定をオフにするよう促す警告ウィンドウを示す図である。
【図１３】第４実施形態の別の例を示すブロック図である。
【図１４】イオンチャンバーと電子カセッテのうちのいずれか１つを使用選択するためのＧＵＩを配したＡＥＣ設定ウィンドウを示す図である。
【図１５】第１判定処理部を有する規制装置の内部構成を示すブロック図である。
【図１６】第１、第２判定処理部を有する規制装置の内部構成を示すブロック図である。
【図１７】電子カセッテのオンオフ指定をオンにするよう促す警告ウィンドウを示す図である。
【発明を実施するための形態】
【００２８】
［第１実施形態；排他処理１（経路選択処理）］
図１および図２において、Ｘ線撮影システム２は、Ｘ線源１０と、Ｘ線源１０の動作を制御する線源制御装置１１と、Ｘ線源１０へのウォームアップ開始とＸ線の照射開始を指示するための照射スイッチ１２と、被写体Ｈ（患者）を透過したＸ線を検出してＸ線画像を出力する電子カセッテ１３と、電子カセッテ１３の動作制御やＸ線画像の表示処理を担うコンソール１４と、規制装置１５と、被写体Ｈを立位姿勢で撮影するための立位撮影台１６と、臥位姿勢で撮影するための臥位撮影台１７とを有する。Ｘ線源１０、線源制御装置１１、照射スイッチ１２はＸ線発生装置２ａ、電子カセッテ１３、およびコンソール１４はＸ線撮影装置２ｂをそれぞれ構成する。Ｘ線発生装置２ａは、フイルムカセッテやＩＰカセッテと、電子カセッテ１３とを併用可能なタイプである。この他にもＸ線源１０を所望の方向および位置にセットするための線源移動装置（図示せず）が設けられており、Ｘ線源１０は立位撮影台１６および臥位撮影台１７で共用される。
【００２９】
Ｘ線源１０は、Ｘ線管２０と、Ｘ線管２０が放射するＸ線の照射野を限定する照射野限定器（コリメータ、図示せず）とを有する。Ｘ線管２０は、熱電子を放出するフィラメントである陰極と、陰極から放出された熱電子が衝突してＸ線を放射する陽極（ターゲット）とを有している。照射野限定器は、例えば、Ｘ線を遮蔽する４枚の鉛板を四角形の各辺上に配置し、Ｘ線を透過させる四角形の照射開口が中央に形成されたものであり、鉛板の位置を移動することで照射開口の大きさを変化させて、照射野を限定する。
【００３０】
線源制御装置１１は、トランスによって入力電圧を昇圧して高圧の管電圧を発生し、これをＸ線管２０に供給する高電圧発生器２５と、Ｘ線源１０が照射するＸ線の線質（エネルギースペクトル）を決める管電圧、単位時間当たりの照射量を決める管電流、およびＸ線の照射時間を制御する制御部２６とを備える。高電圧発生器２５は高電圧ケーブルを通じてＸ線源１０と接続される。
【００３１】
メモリ２７は、管電圧、管電流、照射時間、および制御部２６でＸ線の照射停止を判定するための照射停止閾値等の撮影条件を撮影部位毎に予め数種類格納している。撮影条件はタッチパネル等からなる操作部２８を通じて放射線技師等のオペレータにより手動で設定される。また、フイルムカセッテやＩＰカセッテと電子カセッテ（ＡＥＣ機能内蔵、ＡＥＣ機能なしの両方含む）のいずれを使用するかも操作部２８により選択される。制御部２６は、設定された照射時間となったらＸ線の照射を停止させるためのカウントダウンタイマー（図示せず）を内蔵している。
【００３２】
ＡＥＣを行う場合の照射時間は、目標線量に達してＡＥＣによる照射停止の判断がされる前にＸ線の照射が終了して線量不足に陥ることを防ぐため、余裕を持った値が設定される。Ｘ線源１０において安全規制上設定されている照射時間の最大値を設定してもよい。制御部２６は、設定された撮影条件の管電圧や管電流、照射時間でＸ線の照射制御を行う。ＡＥＣはこれに対してＸ線の累積線量が必要十分な目標線量に到達したと判定すると、線源制御装置１１で設定されている照射時間以下であってもＸ線の照射を停止するように機能する。ＡＥＣを行わない場合は撮影部位に応じた照射時間が設定される。制御部２６は、設定された照射時間が内蔵のカウントダウンタイマーで計時されたらＸ線の照射を停止させる。
【００３３】
制御部２６にはＡＥＣ用Ｉ／Ｆ２９を介して規制装置１５が接続されている。本来ＡＥＣ用Ｉ／Ｆ２９にはＸ線発生装置２ａに備え付けで電子カセッテ１３とは別体の第１ＡＥＣ信号出力装置であるイオンチャンバー３０が接続される。イオンチャンバー３０は、フイルムカセッテやＩＰカセッテ、またはＡＥＣ機能が内蔵されていない電子カセッテで撮影を行う際に使用される。イオンチャンバー３０は、各撮影台１６、１７のホルダ１６ａ、１７ａのカセッテの前面または背面に配される。図１では立位撮影台１６のホルダ１６ａにイオンチャンバー３０が取り付けられた状態を示しているが、イオンチャンバー３０は臥位撮影台１７のホルダ１７ａに付け替えることが可能で、各撮影台１６、１７で共用される。
【００３４】
イオンチャンバー３０は、左右の肺野や下腹部中央等の予め決められた領域に第１採光野３０ａを有する。イオンチャンバー３０は、被写体Ｈを透過して第１採光野３０ａに到達したＸ線の線量に応じた電圧信号（以下、第１線量検出信号という。第１ＡＥＣ信号に相当）を所定のサンプリング間隔で出力する。
【００３５】
イオンチャンバー３０を用いてＡＥＣを行うか否かの指定（第１オンオフ指定）および複数の第１採光野３０ａのうちのいずれを用いてＡＥＣを行うかの指定（第１採光野指定）は、撮影条件を設定する際にオペレータが操作部２８を操作することにより行われる。このとき、例えば図３に示す第１ＡＥＣ設定ウィンドウ７０をタッチパネルに表示し、オペレータの操作を受け付ける。第１ＡＥＣ設定ウィンドウ７０には、イオンチャンバー３０を用いてＡＥＣを行う「使う（オン）」とイオンチャンバー３０を用いてＡＥＣを行わない「使わない(オフ）」のいずれかの選択肢を選択させる第１オンオフ指定領域７０ａと、第１採光野３０ａとして「胸部」（左右の肺野）と「腹部」（下腹部中央）のいずれかの選択肢を選択させる第１採光野指定領域７０ｂが設けられている。この第１ＡＥＣ設定ウィンドウ７０で指定された第１オンオフ指定情報および第１採光野指定情報を含む第１ＡＥＣ設定情報は、ＡＥＣ用Ｉ／Ｆ２９を介して規制装置１５に出力される。
【００３６】
第１オンオフ指定がオンの場合、イオンチャンバー３０は電源が投入されて、指定された第１採光野３０ａへの到達線量に応じた第１線量検出信号を出力する。第１オンオフ指定がオフの場合、イオンチャンバー３０は動作せず、したがって第１線量検出信号も出力されない。
【００３７】
制御部２６にはスイッチＩ／Ｆ３２を介して照射スイッチ１２が接続されている。照射スイッチ１２は、Ｘ線照射開始時にオペレータによって操作される。照射スイッチ１２の操作ボタンであるＳＷ１とＳＷ２は入れ子構造になっており、照射スイッチ１２は、ＳＷ１を押してからでないとＳＷ２をオンできない２段階押しスイッチである。制御部２６は、照射スイッチ１２の半押し（ＳＷ１オン）でＸ線管２０のウォームアップを開始させるためのウォームアップ開始信号を発生する。また、制御部２６は、照射スイッチ１２の全押し（ＳＷ２オン）で、フイルムカセッテやＩＰカセッテが使用選択された場合はＸ線照射を指示する照射指示信号を発生し、電子カセッテが使用選択された場合はＸ線の照射を開始してよいかを問い合わせる照射開始要求信号を発生する。照射開始要求信号は同期信号Ｉ／Ｆ３３から電子カセッテに出力される。この場合、制御部２６は、照射開始要求信号の応答である電子カセッテからの照射許可信号を同期信号Ｉ／Ｆ３３を介して受けたとき、照射指示信号を発生する。ウォームアップ開始信号および照射指示信号は高電圧発生器２５に与えられる。高電圧発生器２５は、照射指示信号を制御部２６から受けたとき、Ｘ線照射を行うためのＸ線管２０への電力供給を開始する。
【００３８】
電子カセッテ１３は、ＦＰＤ３５とＦＰＤ３５の動作を制御する制御部３６とを有する。ＦＰＤ３５は、Ｘ線源１０から照射されて被写体Ｈを透過したＸ線の線量に応じた電荷を蓄積する複数の画素がＴＦＴアクティブマトリクス基板上に行列状に配置された構成である。画素は、周知のように、可視光の入射によって電荷（電子−正孔対）を発生する光電変換部、光電変換部が発生した電荷を蓄積するキャパシタ、およびスイッチング素子であるＴＦＴを備える。ＦＰＤ３５は、画素の列毎に設けられた信号線を通じて各画素の光電変換部に蓄積された信号電荷を信号処理回路に読み出し、信号処理回路で電圧信号に変換することでＸ線画像を出力する。
【００３９】
ＦＰＤ３５は、Ｘ線を可視光に変換するシンチレータを有し、シンチレータによって変換された可視光を画素で光電変換する間接変換型である。なお、シンチレータとＴＦＴアクティブマトリクス基板は、Ｘ線の入射する側からみてシンチレータ、基板の順に配置されるＰＳＳ（Penetration Side Sampling）方式でもよいし、逆に基板、シンチレータの順に配置されるＩＳＳ（Irradiation Side sampling）方式でもよい。また、シンチレータを用いず、Ｘ線を直接電荷に変換する変換層（アモルファスセレン等）を用いた直接変換型のＦＰＤを用いてもよい。
【００４０】
制御部３６は、画素の行毎に設けられた走査線を通じてＴＦＴを駆動することにより、Ｘ線の線量に応じた信号電荷を画素に蓄積する蓄積動作と、画素から蓄積された信号電荷を読み出す読み出し動作と、画素に発生する暗電荷を掃き出すリセット動作とをＦＰＤ３５に行わせる。また、制御部３６は、読み出し動作でＦＰＤ３５から出力されたＸ線画像データに対して、オフセット補正、感度補正、欠陥補正等の各種画像処理を施す。
【００４１】
線量検出センサ３７は、画素が配置されたＦＰＤ３５の撮像領域３５ａへのＸ線の到達線量を検出し、その結果（以下、第２線量検出信号という。第２ＡＥＣ信号に相当）を制御部３６内の演算部３８に出力する。線量検出センサ３７は、撮像領域３５ａ内で局所的に偏ることなく撮像領域３５ａ内に満遍なく散らばるよう複数配置される。
【００４２】
線量検出センサ３７には画素の一部が利用される。線量検出センサ３７として用いる画素は、Ｘ線画像検出用の画素が蓄積動作中であっても発生電荷に応じた第２線量検出信号を取得することが可能な構成である。例えば、ＴＦＴのソース電極とドレイン電極が短絡され、またはＴＦＴがなく光電変換部が直接信号線に接続され、ＴＦＴのオンオフに関わらず発生電荷が信号処理回路に流れ出す画素、あるいはＸ線画像検出用の画素のＴＦＴとは別に駆動されるＴＦＴを設けた画素が線量検出センサ３７として用いられる。
【００４３】
演算部３８は、ＦＰＤ３５がリセット動作を繰り返す待機モードから蓄積動作を開始する撮影モードに切り替わったときに第２線量検出信号のサンプリングを開始する。演算部３８は、第２線量検出信号のサンプリングの度に、撮影部位に応じて設定された第２採光野内に存在する線量検出センサ３７からの第２線量検出信号の平均値（最大値、最頻値、または合計値でも可）を計算する。
【００４４】
演算部３８は、第２線量検出信号がイオンチャンバー３０から出力される第１線量検出信号相当となるように較正する。具体的には、演算部３８は、被写体Ｈが存在しない状態でＸ線を照射したときの第１線量検出信号と第２線量検出信号の出力レベルに応じた係数を第２線量検出信号に乗算する。例えば、被写体Ｈが存在しない状態でＸ線を照射したときの第１線量検出信号の出力レベルが１、第２線量検出信号の出力レベルが１０であった場合、第２線量検出信号に０．１を乗算する。較正済みの第２線量検出信号は、照射信号Ｉ／Ｆ３９を介して線源制御装置１１に向けて出力される。線量検出センサ３７を用いてＡＥＣを行わない設定とされた場合、演算部３８は動作せず、したがって第２線量検出信号も出力されない。なお、イオンチャンバー３０と線量検出センサ３７のＸ線に対する感度や、Ｘ線源１０とイオンチャンバー３０、Ｘ線源１０と線量検出センサ３７（ＦＰＤ３５の撮像領域３５ａ）のそれぞれの距離といったパラメータに基づき、第２線量検出信号に乗算する係数を計算で求めてもよい。
【００４５】
照射信号Ｉ／Ｆ３９は、線源制御装置１１の同期信号Ｉ／Ｆ３３と信号ケーブルを介して接続されている。照射信号Ｉ／Ｆ３９は、同期信号Ｉ／Ｆ３３から出力される照射開始要求信号を受信し、制御部３６に入力する。照射開始要求信号が入力されたとき、制御部３６は、ＦＰＤ３５の動作をリセット動作から蓄積動作に移行させ、待機モードから撮影モードに切り替える。また、照射信号Ｉ／Ｆ３９から同期信号Ｉ／Ｆ３３に向けて照射許可信号を出力させる。
【００４６】
通信Ｉ／Ｆ４０は、有線方式や無線方式によりコンソール１４と通信可能に接続されている。通信Ｉ／Ｆ４０は、ＦＰＤ３５から出力されたＸ線画像のデータやコンソール１４で設定された撮影条件の情報等の遣り取りを媒介する。
【００４７】
ＦＰＤ３５および制御部３６は扁平な箱型をした可搬型の筐体に収容されている。筐体には、電子カセッテ１３の各部に所定の電圧の電力を供給するためのバッテリ（二次電池）や、コンソール１４とＸ線画像等のデータの無線通信を行うためのアンテナがＦＰＤ３５等の他に内蔵されている。
【００４８】
筐体は、フイルムカセッテやＩＰカセッテと略同様の国際規格ＩＳＯ４０９０：２００１に準拠した大きさである。電子カセッテ１３は、ＦＰＤ３５の撮像領域３５ａがＸ線源１０と対向する姿勢で保持されるよう、フイルムカセッテやＩＰカセッテ用の既存の撮影台１６、１７のホルダ１６ａ、１７ａに着脱自在にセットされる。そして、使用する撮影台に応じて、線源移動装置によりＸ線源１０が移動され、使用する撮影台にイオンチャンバー３０がセットされる。また、電子カセッテ１３は、立位、臥位の各撮影台１６、１７にセットされる他に、被写体Ｈが仰臥するベッド上に置いたり被写体Ｈ自身にもたせたりして単体で使用されることもある。
【００４９】
コンソール１４は、キーボード等の入力デバイス４５を介したオペレータからの入力操作に応じて電子カセッテ１３の動作を制御する。通信Ｉ／Ｆ４０を介して電子カセッテ１３から送られたＸ線画像はコンソール１４のディスプレイ４６に表示される他、そのデータがコンソール１４内のストレージデバイス４７やメモリ、あるいはコンソール１４とネットワーク接続された画像蓄積サーバ等のデータストレージに記憶される。
【００５０】
コンソール１４は、被写体Ｈの性別、年齢、撮影部位、撮影目的等の情報が含まれる検査オーダの入力を受け付けて、検査オーダをディスプレイ４６に表示する。検査オーダは、ＨＩＳ（病院情報システム）やＲＩＳ（放射線情報システム）等の患者情報や放射線検査に係る検査情報を管理する外部システムから入力されるか、オペレータにより手動入力される。検査オーダには、頭部、胸部、腹部、手、指等の撮影部位の項目がある。撮影部位には、正面、側面、斜位、ＰＡ（Ｘ線を被写体Ｈの背面から照射）、ＡＰ（Ｘ線を被写体Ｈの正面から照射）等の撮影方向も含まれる。オペレータは、検査オーダの内容をディスプレイ４６で確認し、その内容に応じた撮影条件をディスプレイ４６に映された操作画面を通じて入力デバイス４５で入力する。
【００５１】
コンソール１４には撮影部位毎に予め撮影条件が記憶されている。撮影条件には、管電圧、管電流等の情報が記憶されている。撮影条件の情報はストレージデバイス４７に格納されており、入力デバイス４５で指定された撮影部位に対応する撮影条件がストレージデバイス４７から読み出されて通信Ｉ／Ｆ４８経由で電子カセッテ１３に提供される。線源制御装置１１の撮影条件は、オペレータがこのコンソール１４の撮影条件を参照して同様の撮影条件を手動設定する。
【００５２】
線量検出センサ３７を用いてＡＥＣを行うか否かの指定（第２オンオフ指定）およびＡＥＣに用いる線量検出センサ３７の領域である第２採光野の指定（第２採光野指定）は、撮影条件を設定する際にオペレータが入力デバイス４５を操作することにより行われる。このとき、例えば図４に示す第２ＡＥＣ設定ウィンドウ７５をディスプレイ４６に表示し、オペレータの操作を受け付ける。第２ＡＥＣ設定ウィンドウ７５には、第１ＡＥＣ設定ウィンドウ７０と同様に、線量検出センサ３７を用いてＡＥＣを行う「使う（オン）」と線量検出センサ３７を用いてＡＥＣを行わない「使わない(オフ）」のいずれかの選択肢を選択させる第１オンオフ指定領域７５ａと、第２採光野として「胸部」（左右の肺野）と「腹部」（下腹部中央）と「四肢」のいずれかの選択肢を選択させる第２採光野指定領域７５ｂが設けられている。この第２ＡＥＣ設定ウィンドウ７５で指定された第２オンオフ指定情報および第２採光野指定情報を含む第２ＡＥＣ設定情報は、撮影条件とともに通信Ｉ／Ｆ４０経由で電子カセッテ１３に提供される。第２ＡＥＣ設定情報はさらに、電子カセッテ１３の照射信号Ｉ／Ｆ３９から規制装置１５に出力される。
【００５３】
規制装置１５は、イオンチャンバー３０からの第１線量検出信号と線量検出センサ３７からの第２線量検出信号が線源制御装置１１の制御部２６に同時に入力されることを規制する。規制装置１５は、線源制御装置１１のＡＥＣ用Ｉ／Ｆ２９、イオンチャンバー３０、および電子カセッテ１３の照射信号Ｉ／Ｆ３９とそれぞれ信号ケーブルを介して接続される第１接続Ｉ／Ｆ５０、第２接続Ｉ／Ｆ５１、および第３接続Ｉ／Ｆ５２を有する。第１接続Ｉ／Ｆ５０は、ＡＥＣ用Ｉ／Ｆ２９から第１ＡＥＣ設定情報を受信するとともに、ＡＥＣ用Ｉ／Ｆ２９に第１線量検出信号を送信する。第２接続Ｉ／Ｆ５１は、イオンチャンバー３０から第１線量検出信号を受信する。第３接続Ｉ／Ｆ５２は、照射信号Ｉ／Ｆ３９から第２ＡＥＣ設定情報および第２線量検出信号を受信する。
【００５４】
第１〜第３接続Ｉ／Ｆ５０〜５２には第１〜第３信号線５３〜５５を介してセレクタ５６が接続されている。セレクタ５６は、第１信号線５３と、第２信号線５４、第３信号線５５のうちのいずれかとを選択的に接続する。
【００５５】
制御部５７には、第４信号線５８を介して第１接続Ｉ／Ｆ５０が、第５信号線５９を介して第２接続Ｉ／Ｆ５１が、第６信号線６０を介して第３接続Ｉ／Ｆ５２がそれぞれ接続されている。制御部５７は、ＡＥＣ用Ｉ／Ｆ２９、信号ケーブル、第１接続Ｉ／Ｆ５０、第４信号線５８を介して第１ＡＥＣ設定情報を取得し、第５信号線５９、第２接続Ｉ／Ｆ５１を介して第１ＡＥＣ設定情報をイオンチャンバー３０に受け渡す。また、制御部５７は、通信Ｉ／Ｆ４８、通信Ｉ／Ｆ４０、照射信号Ｉ／Ｆ３９、信号ケーブル、第３接続Ｉ／Ｆ５２、第６信号線６０を介して第２ＡＥＣ設定情報を取得する。つまり、第１接続Ｉ／Ｆ５０と第３接続Ｉ／Ｆ５２が設定情報取得部を構成する。制御部５７は、これら第１接続Ｉ／Ｆ５０と第３接続Ｉ／Ｆ５２を介して取得した第１、第２ＡＥＣ設定情報とメモリ６１に記憶された図５に示す動作表６５に基づき、セレクタ５６を動作させる。
【００５６】
図５において、動作表６５には、第１、第２ＡＥＣ設定情報の第１、第２オンオフ指定情報の各組み合わせに対するセレクタ５６の選択位置が記憶されている。第１、第２オンオフ指定情報がともにオン、すなわちイオンチャンバー３０を用いてＡＥＣを行うと線源制御装置１１で設定され、かつ線量検出センサ３７を用いてＡＥＣを行うとコンソール１４で設定される場合、セレクタ５６の選択位置は「電子カセッテ選択位置」となっている。この場合、制御部５７は、セレクタ５６を第３信号線５５側とする。
【００５７】
一方、第１オンオフ指定情報がオン、第２オンオフ指定情報がオフ、すなわちイオンチャンバー３０を用いてＡＥＣを行うと線源制御装置１１で設定され、かつ線量検出センサ３７を用いてＡＥＣを行わないとコンソール１４で設定される場合、セレクタ５６の選択位置は「イオンチャンバー選択位置」となっている。この場合、制御部５７は、セレクタ５６を第２信号線５４側とする。第２オンオフ指定情報に関わらず第１オンオフ指定情報がオフ、すなわちイオンチャンバー３０を用いてＡＥＣを行わない設定が線源制御装置１１でなされる場合は、制御部２６は線量検出信号を受けてもＸ線の累積線量が目標線量に達したか否かの判定動作を行わないのでセレクタ５６の選択位置はいずれでも構わない。本例では「イオンチャンバー選択位置」となっており、セレクタ５６は第２信号線５４側とされる。
【００５８】
セレクタ５６を第２信号線５４側とした場合、第１接続Ｉ／Ｆ５０と第２接続Ｉ／Ｆ５１、ひいてはＡＥＣ用Ｉ／Ｆ２９とイオンチャンバー３０とが第１、第２信号線５３、５４や信号ケーブルを介して繋がる。そして、このＡＥＣ用Ｉ／Ｆ２９とイオンチャンバー３０を繋ぐ信号経路にて線源制御装置１１、イオンチャンバー３０間での第１線量検出信号の遣り取りが可能となる。一方、セレクタ５６を第３信号線５５側とした場合は、第１接続Ｉ／Ｆ５０と第３接続Ｉ／Ｆ５２、ひいてはＡＥＣ用Ｉ／Ｆ２９と照射信号Ｉ／Ｆ３９とが第１、第３信号線５３、５５や信号ケーブルを介して繋がり、この信号経路にて線源制御装置１１、電子カセッテ１３間での第２線量検出信号の遣り取りが可能となる。
【００５９】
制御部２６は、ＡＥＣ用Ｉ／Ｆ２９に入力される第１線量検出信号または第２線量検出信号に基づき、撮像領域３５ａへのＸ線の累積線量が目標線量に達したか否かを判定する。制御部２６は、第１線量検出信号または第２線量検出信号を積算し、この積算値（累積線量）と予め設定された照射停止閾値（目標線量）とを比較して、この比較結果に基づき上記判定を行う。
【００６０】
制御部２６は、積算値が照射停止閾値を上回り、Ｘ線の累積線量が目標線量に達したと判定したときに、高電圧発生器２５からＸ線管２０への電力供給を停止させ、Ｘ線の照射を停止させる。なお、インプラントの影響で明らかに線量検出信号の値が低い場合は、制御部２６で異常と判断してＸ線の照射を中断してもよい。
【００６１】
電子カセッテが使用選択された場合、制御部２６は、Ｘ線の照射を停止させると同時に、Ｘ線の照射が停止されたことを報せる照射停止信号を同期信号Ｉ／Ｆ３３から出力させる。照射信号Ｉ／Ｆ３９は、同期信号Ｉ／Ｆ３３から出力された照射停止信号を受信し、制御部３６に入力する。照射信号Ｉ／Ｆ３９から照射停止信号を受けたとき、制御部３６は、ＦＰＤ３５の動作を蓄積動作から読み出し動作に移行させる。
【００６２】
次に、図６および図７のフローチャートを参照して、Ｘ線撮影システム２において１回のＸ線撮影を行う場合の手順を説明する。
【００６３】
まず、被写体Ｈを立位、臥位の各撮影台１６、１７のいずれかの所定の撮影位置にセットし、電子カセッテ１３の高さや水平位置を調節して、被写体Ｈの撮影部位と位置を合わせる。そして、電子カセッテ１３の位置および撮影部位の大きさに応じて、Ｘ線源１０の高さや水平位置、照射野の大きさを調整する。次いで線源制御装置１１とコンソール１４に撮影条件を設定する。このとき、フイルムカセッテやＩＰカセッテと電子カセッテのいずれを使用するかの設定と第１ＡＥＣ設定情報の入力が線源制御装置１１で、第２ＡＥＣ設定情報の入力がコンソール１４でそれぞれなされる（図６のＳ１０、Ｓ１１）。
【００６４】
線量検出センサ３７を用いてＡＥＣを行う場合は、第２ＡＥＣ設定ウィンドウ７５の第２オンオフ指定領域７５ａの「使う（オン）」を選択する。イオンチャンバー３０を用いてＡＥＣを行う場合は、第１ＡＥＣ設定ウィンドウ７０の第１オンオフ指定領域７０ａの「使う（オン）」を選択する。第２オンオフ指定がオンであった場合（Ｓ１２でＹＥＳ）は、電子カセッテ１３は第２線量検出信号を照射信号Ｉ／Ｆ３９から出力する準備を行う（Ｓ１４）。第１オンオフ指定がオンであった場合（Ｓ１３でＹＥＳ）、線源制御装置１１はＡＥＣ用Ｉ／Ｆ２９から線量検出信号を受け付けて判定動作をする準備を行う（Ｓ１５）。各オンオフ指定がオフの場合（Ｓ１２、Ｓ１３でＮＯ）はこれらの準備は行われない。
【００６５】
第１ＡＥＣ設定情報は、第１接続Ｉ／Ｆ５０を介して規制装置１５の制御部５７に入力される。第２ＡＥＣ設定情報は、第３接続Ｉ／Ｆ５２を介して制御部５７に入力される（Ｓ１６〜Ｓ１８）。
【００６６】
第１、第２オンオフ指定は、普通いずれかがオンとされるか、ＡＥＣを行わない場合は第１オンオフ指定がオフ、または両方オフとされる（Ｓ１９でＮＯ）。しかし、前回の撮影でいずれか一方のオンオフ指定をオンとしていて、そのままオフにせずに次回の撮影で他方をオンにしてしまった場合等、オペレータの不注意で両方がオンとなる場合がある。こうした場合は、制御部５７によりセレクタ５６が第３信号線５５側とされてセレクタ５６の選択位置が「電子カセッテ選択位置」とされる（Ｓ２０）。これにより線源制御装置１１と電子カセッテ１３とが規制装置１５を介して繋がる。それ以外の場合（Ｓ１９でＮＯ）はセレクタ５６が第２信号線５４側とされてセレクタ５６の選択位置が「イオンチャンバー選択位置」とされ、線源制御装置１１とイオンチャンバー３０とが規制装置１５を介して繋がる（Ｓ２１）。以降は電子カセッテ１３を使用選択し、セレクタ５６の選択位置が「電子カセッテ選択位置」とされた場合について説明する。
【００６７】
図７において、撮影準備が完了すると、オペレータによって照射スイッチ１２が半押し（ＳＷ１オン）され（Ｓ３０）、これにより線源制御装置１１から高電圧発生器２５にウォームアップ開始信号が発せられる（Ｓ３１）。そして、高電圧発生器２５からＸ線管２０への電力供給が開始され、Ｘ線管２０のウォームアップが実施される（Ｓ３２）。
【００６８】
オペレータは、照射スイッチ１２を半押しした後、ウォームアップに要する時間を見計らって照射スイッチ１２を全押し（ＳＷ２オン）する（Ｓ３３）。これを契機に線源制御装置１１と電子カセッテ１３間で照射開始要求信号と照射許可信号の送受信（同期通信）が行われる（Ｓ３４、Ｓ３５）。電子カセッテ１３では、ＦＰＤ３５の動作がリセット動作から蓄積動作に移行され、また、演算部３８による線量検出信号のサンプリングが開始される（Ｓ３６）。
【００６９】
電子カセッテ１３から出力された照射許可信号は線源制御装置１１に入力される。これによりＸ線管２０からＸ線が照射される（Ｓ３７）。
【００７０】
Ｘ線の照射が開始されると、その到達線量に応じた第２線量検出信号が線量検出センサ３７から出力される。第２線量検出信号は演算部３８に送られる。演算部３８では、コンソール１４から与えられた第２採光野の情報に基づき、第２採光野内に存在する線量検出センサ３７からの線量検出信号の平均値が計算される。そして、この平均値が第１線量検出信号相当となるように演算部３８で較正されたうえで、規制装置１５に送信される（Ｓ３８、Ｓ３９）。
【００７１】
規制装置１５で受信された較正済みの第２線量検出信号の平均値は、第３信号線５５、セレクタ５６、第１信号線５３等を介して線源制御装置１１に入力される（Ｓ４０、Ｓ４１）。線源制御装置１１では、規制装置１５から逐次入力される第２線量検出信号の平均値の積算値が計算される（Ｓ４２）。そして、この積算値と照射停止閾値とが比較される（Ｓ４３）。これが第２線量検出信号のサンプリングの度に繰り返される（Ｓ４４でＮＯ）。
【００７２】
積算値が照射停止閾値に到達すると（Ｓ４４でＹＥＳ）、線源制御装置１１はＸ線の累積線量が目標線量に達したと判定し、高電圧発生器２５からＸ線管２０への電力供給を停止させ、Ｘ線源１０によるＸ線の照射を停止させる。また、電子カセッテ１３に照射停止信号を出力する（Ｓ４５）。
【００７３】
線源制御装置１１から出力された照射停止信号は電子カセッテ１３に入力される（Ｓ４６でＹＥＳ）。これによりＦＰＤ３５の動作が蓄積動作から読み出し動作に切り替えられ、Ｘ線画像データが出力される（Ｓ４７）。読み出し動作後、ＦＰＤ３５はリセット動作を行う待機モードに戻る。ＦＰＤ３５から出力されたＸ線画像データは各種画像処理を施された後コンソール１４に送信され、ディスプレイ４６に表示されて診断に供される。これにて１回のＸ線撮影が終了する。
【００７４】
なお、第１オンオフ指定がオン、第２オンオフ指定がオフであった場合は、イオンチャンバー３０からの第１線量検出信号に基づいて制御部２６でＡＥＣが行われる。第１オンオフ指定がオフであった場合はＡＥＣは実施されず、操作部２８を通じて設定された照射時間がカウントダウンタイマーで計時されたときにＸ線の照射が停止される。
【００７５】
線源制御装置１１への第１線量検出信号の入力経路である第２信号線５４と、線源制御装置１１への第２線量検出信号の入力経路である第３信号線５５を動作表６５に基づき選択するセレクタ５６を配し、必ずいずれか一方の入力経路が選択されるよう制御部５７で制御するので、イオンチャンバー３０を用いてＡＥＣを行うと設定され、かつ線量検出センサ３７を用いてＡＥＣを行うと設定された場合も、第１線量検出信号と第２線量検出信号の両方が線源制御装置１１に入力されて混信することがなく、ＡＥＣが正確に行えないという事態を避けることができる。
【００７６】
規制装置１５は主にセレクタ５６と制御部５７だけというシンプルな構成であるため、イオンチャンバー３０とＡＥＣ機能が内蔵された電子カセッテ１３を併用可能とするために線源制御装置１１を改造したり、線源制御装置１１を電子カセッテ１３用の線源制御装置に買い換えたりするよりは、はるかにコストを安く抑えることができる。したがって、電子カセッテ１３の導入に迷っていた病院への参入障壁が低くなり、電子カセッテ１３の販売促進にも繋がる。
【００７７】
イオンチャンバー３０によるＡＥＣも行えるので、フイルムカセッテやＩＰカセッテ、またはＡＥＣ機能がない電子カセッテを今まで通り使用することができる。
【００７８】
上記第１実施形態では、第１、第２オンオフ指定がともにオンであった場合にセレクタ５６を「電子カセッテ選択位置」として、第２線量検出信号に基づきＡＥＣを行うよう動作表６５で設定しているが、逆にセレクタ５６を「イオンチャンバー選択位置」として、第１線量検出信号に基づきＡＥＣを行うよう設定してもよい。ただし、線源制御装置１１では第１オンオフ指定をオンのままにしていることが多く、対して第２オンオフ指定は電子カセッテ１３を使用選択したときにのみオンとするため、第１、第２オンオフ指定がともにオンであった場合は上記第１実施形態のように「電子カセッテ選択位置」を優先することが好ましい。なお、メモリ６１にアクセスして動作表６５を書き換え可能に構成する等して、第１、第２オンオフ指定がともにオンであった場合の動作表６５の設定、すなわち優先情報の内容をオペレータの操作により変更できるよう構成してもよい。
【００７９】
［第２実施形態；排他処理２（設定変更処理）］
上記第１実施形態では、第１、第２線量検出信号の入力経路をセレクタ５６で選択することで、第１、第２オンオフ指定がともにオンの場合に一方を有効にして他方を無効にする排他処理を行っているが、排他処理の方法はこれに限らない。図８に示す規制装置８０のように、第１、第２オンオフ指定のいずれかをコマンド送信により変更してもよい。
【００８０】
図８において、規制装置８０は、セレクタ５６がなく、第１、第２信号線５３、５４に相当する信号線８１で第１、第２接続Ｉ／Ｆ５０、５１が直接繋がれ、第３信号線５５に相当する信号線８２で第１、第３接続Ｉ／Ｆ５０、５２が直接繋がれている点で上記第１実施形態の規制装置１５と異なる。また、メモリ８３には動作表６５の代わりにコマンド表８４が格納されている。コマンド表８４には、第１、第２オンオフ指定情報の各組み合わせに対する設定変更コマンドの内容が記憶されている。制御部８５は、第１接続Ｉ／Ｆ５０と第３接続Ｉ／Ｆ５２を介して取得した第１、第２ＡＥＣ設定情報の第１、第２オンオフ指定情報とこのコマンド表８４に基づき、設定変更コマンドを各部に送信する。
【００８１】
第１、第２オンオフ指定がともにオンの場合は「イオンチャンバーオフ」となっており、制御部８５はイオンチャンバー３０に電源をオフする旨の設定変更コマンドを送信する。こうするとイオンチャンバー３０からは第１線量検出信号が出力されず、線源制御装置１１には第２線量検出信号のみが入力されることになるので、第２線量検出信号に基づきＡＥＣを行うことができる。第１オンオフ指定がオン、第２オンオフ指定がオフの場合、第１、第２オンオフ指定がともにオフの場合はコマンド表８４には何も記憶されておらず、したがって設定変更コマンドは送信されない。第１オンオフ指定がオフ、第２オンオフ指定がオンの場合は「第１オンオフ指定オン、イオンチャンバーオフ」となっており、制御部８５は線源制御装置１１に第１オンオフ指定をオンに変更する旨の設定変更コマンドを送信するとともに、イオンチャンバー３０に電源をオフする旨の設定変更コマンドを送信する。第１、第２オンオフ指定がともにオンの場合と同様に、第２線量検出信号に基づきＡＥＣを行うことができる。
【００８２】
上記第１実施形態では、第２オンオフ指定に関わらず第１オンオフ指定がオフのときはＡＥＣ自体を行わない設定としているが、本実施形態のように第１オンオフ指定がオフでも第２オンオフ指定がオンのときは線源制御装置１１に第１オンオフ指定をオンに変更する旨の設定変更コマンドを、イオンチャンバー３０に電源をオフする旨の設定変更コマンドをそれぞれ送信することで、第２線量検出信号に基づきＡＥＣを行うことができる。第２オンオフ指定をオンとした場合はＡＥＣを行う意思はあると考えられるので、その意図に沿った動作をさせることができる。なお、上記とは逆に、第１、第２オンオフ指定がともにオンの場合に、第２線量検出信号を出力しないよう電子カセッテ１３に設定変更コマンドを送信してもよい。また、第２オンオフ指定を強制的に常時オフとする設定変更コマンドを電子カセッテ１３に送信し、必ずイオンチャンバー３０でＡＥＣを行うようにしてもよい。このように、オペレータが入力したオンオフ指定と実際にＡＥＣに使用する装置が異なる場合は、その旨を示すメッセージを撮影開始前または終了後に線源制御装置１１のタッチパネルやコンソール１４のディスプレイ４６に表示することが好ましい。
【００８３】
上記第１、第２実施形態では、線源制御装置と規制装置が別体である例を挙げたが、図９に示すように、規制装置を線源制御装置に内蔵させてもよい。
【００８４】
図９において、線源制御装置９０は、線源制御装置１１に第２実施形態の規制装置８０を内蔵させたものである。第１ＡＥＣ用Ｉ／Ｆ９１は、線源制御装置１１のＡＥＣ用Ｉ／Ｆ２９と規制装置８０の第２接続Ｉ／Ｆ５１の機能を併せもったもので、イオンチャンバー３０が接続される。また、第２ＡＥＣ用Ｉ／Ｆ９２は、線源制御装置１１の同期信号Ｉ／Ｆ３３と規制装置８０の第３接続Ｉ／Ｆ５２の機能を併せもったもので、電子カセッテ１３が接続される。この場合は操作部２８と第２ＡＥＣ用Ｉ／Ｆ９２が設定情報取得部を構成する。排他処理の方法については上記第２実施形態と同じであるため説明を省略する。制御部２６と制御部８５を統合して１つの制御部としてもよい。また、線源制御装置１１に第１実施形態の規制装置１５を内蔵させてもよい。
【００８５】
［第３実施形態；排他処理３（同時接続状態を検知）］
上記第２実施形態の線源制御装置９０のように、イオンチャンバー３０が接続される第１ＡＥＣ用Ｉ／Ｆ９１と電子カセッテ１３が接続される第２ＡＥＣ用Ｉ／Ｆ９２をもっている場合は、図１０に示す線源制御装置９５のように、各ＡＥＣ用Ｉ／Ｆ９１、９２へのイオンチャンバー３０と電子カセッテ１３の接続状態を検知する検知部９６、９７をそれぞれ設け、イオンチャンバー３０と電子カセッテ１３が両方接続されたことを検知部９６、９７で検知したときに、セレクタ９８でイオンチャンバー３０からの第１線量検出信号の入力経路と電子カセッテ１３からの第２線量検出信号の入力経路のいずれか一方を選択することで、排他処理を行ってもよい。この場合、セレクタ９８の動作表はメモリ２７に記憶される。セレクタ９８を制御部２６に内蔵させてもよい。
【００８６】
なお、各ＡＥＣ用Ｉ／Ｆ９１、９２へのイオンチャンバー３０と電子カセッテ１３の接続状態を検知する方法としては、有線接続の場合は各ＡＥＣ用Ｉ／Ｆ９１、９２を構成するコネクタに、信号ケーブルのソケットが差し込まれたときにオンするリミットスイッチを設けたり、無線接続の場合は各ＡＥＣ用Ｉ／Ｆ９１、９２とイオンチャンバー３０、電子カセッテ１３間で無線接続を確立するための信号を送受信したことを検知する等、様々な方法を用いることができる。
【００８７】
［第４実施形態；警告処理］
本実施形態では、第１、第２ＡＥＣ設定情報がともにオンであった場合に、その旨をオペレータに警告する、あるいは一方をオフにするようオペレータに促す。こうした警告処理によっても上記各実施形態と同様の効果を得ることができる。
【００８８】
図１１において、規制装置１００は、上記第２実施形態の規制装置８０のメモリ８３の代わりに液晶モニタ等からなる表示部１０１を有する。なお、上記実施形態と同じ部材には同じ符号を付し、説明を省略する。
【００８９】
制御部１０２は、上記実施形態と同様に、第１、第３接続Ｉ／Ｆ５０、５２を介して第１、第２ＡＥＣ設定情報をそれぞれ取得する。制御部１０２は、第１、第２オンオフ指定がともにオンであった場合、オペレータの注意を引くためのビープ音等とともに図１２に示す警告ウィンドウ１０５を表示部１０１に表示させる。警告ウィンドウ１０５には、第１、第２オンオフ指定の一方をオフにするよう促すメッセージが表示される。こうすることで、イオンチャンバー３０を用いてＡＥＣを行うと設定され、かつ線量検出センサ３７を用いてＡＥＣを行うと設定されることを避けることができる。なお、第１、第２オンオフ指定の両方がオンであることを報せてもよい。また、第１、第２オンオフ指定のいずれかを積極的にオフさせるようなメッセージ、例えば「イオンチャンバーのＡＥＣ設定をオフにして下さい」というメッセージを表示し、線量検出センサ３７を用いてＡＥＣを行うよう仕向けてもよい。また、第１、第２オンオフ指定がともにオンであった場合に規制装置１００から線源制御装置１１およびコンソール１４に警告表示コマンドを送信し、線源制御装置１１のタッチパネルやコンソール１４のディスプレイ４６に警告ウィンドウ１０５を表示させてもよい。警告表示は線源制御装置１１、コンソール１４、規制装置１００のいずれか１つの装置のみで行ってもよいし、全ての装置で行ってもよい。
【００９０】
なお、図１３に示すように、規制装置１１０を介さずに線源制御装置１１とイオンチャンバー３０を信号ケーブルで直接接続してもよい。この場合、線源制御装置１１とイオンチャンバー３０を繋ぐ信号ケーブルを構成する信号線のうちの第１ＡＥＣ設定情報を伝送する信号線を分岐して第１接続Ｉ／Ｆ５０に接続する。信号線を分岐する作業が必要となるが、規制装置１００と比べて第２接続Ｉ／Ｆ５１と信号線８１が除かれる分よりシンプルな構成とすることができる。
【００９１】
［第５実施形態；ＧＵＩによる規制処理］
Ｘ線発生装置２ａとＸ線撮影装置２ｂの製造メーカが別である場合は、線源制御装置１１とコンソール１４は連携して動作することはない。このため撮影条件は上記第１実施形態のように線源制御装置１１とコンソール１４で別々に設定するのが普通である。第１、第２オンオフ指定も線源制御装置１１とコンソール１４で別々に行っている。対して、Ｘ線発生装置２ａとＸ線撮影装置２ｂの製造メーカが同じで、線源制御装置１１とコンソール１４が通信可能に接続されていたり、線源制御装置１１とコンソール１４が一体化されていたりして、線源制御装置１１とコンソール１４の連携がとれている場合は、撮影条件の設定や第１、第２オンオフ指定をどちらか一方で済ませることができる。
【００９２】
このような場合、例えば図１４に示すＡＥＣ設定ウィンドウ１１５をコンソール１４のディスプレイ４６に表示し、イオンチャンバー３０、線量検出センサ３７のいずれを用いてＡＥＣを行うかの設定を行わせる。ＡＥＣ設定ウィンドウ１１５には、「イオンチャンバー使用」と「電子カセッテ使用」の２つの選択肢があり、各選択肢にラジオボタン１１６が配されている。ラジオボタン１１６は、１つの選択肢を選択したら他の選択肢を選択できないというＧＵＩウィジェットである。こうすれば、「イオンチャンバー使用」と「電子カセッテ使用」の両方の選択肢が同時に選択されることはなくなる。なお、ラジオボタン１１６に代えて、複数の選択肢から１つの選択肢を選ばせるドロップダウンリストを用いてもよい。あるいは、一方の選択肢を選択したら他方の選択肢の表示を消したりグレーアウトさせたりしてもよい。
【００９３】
ここで、上記第１実施形態で例示したように、線源制御装置１１で指定可能な第１採光野は「胸部」と「腹部」の２種類であるのに対し、コンソール１４で指定可能な第２採光野は「胸部」、「腹部」に加えて「四肢」の３種類である等、指定可能な第１、第２採光野の種類が一致しないことがしばしばあり、イオンチャンバー３０の第１採光野では非対応の第２採光野（この場合は「四肢」）がコンソール１４で指定されることがある。こうした場合に第１オンオフ指定がオン、第２オンオフ指定がオフでイオンチャンバー３０を用いてＡＥＣを行う設定であると、正確にＡＥＣを行えない。この問題に対処するための方法を以下に説明する。
【００９４】
図１５において、規制装置１２０は、基本的な構成は上記第２実施形態の規制装置８０と同じであるが、コンソール１４と接続されてコンソール１４から撮影部位の情報を取得する第４接続Ｉ／Ｆ１２１が設けられ、かつ制御部１２２に第１判定処理部１２３が設けられている点で異なる。
【００９５】
第１判定処理部１２３は、第１、第２オンオフ指定がともにオンの場合に、第４接続Ｉ／Ｆ１２１を介して取得した撮影部位情報と、第１、第２採光野指定情報を照合して、イオンチャンバー３０と電子カセッテ１３のうち、採光野指定情報がより適切なほうを判定する第１判定処理を実行する。制御部１２２は、第１判定処理部１２３で適切であると判定されていないほうのオンオフ指定をオフにする設定変更コマンドを送信する。例えば撮影部位が「四肢」で、第１採光野に「腹部」、第２採光野に「四肢」が設定されていた場合、第１判定処理部１２３は電子カセッテ１３のほうを採光野指定情報が適切であると判定する。制御部１２２は、イオンチャンバー３０に電源をオフする旨の設定変更コマンドを送信する。
【００９６】
また、図１６に示す規制装置１２５のように、制御部１２２にさらに第２判定処理部１２４を設けてもよい。この場合第１判定処理部１２３は、第１、第２オンオフ指定がともにオンであるか否かに関わらず第１判定処理を実行する。第２判定処理部１２４は、第１判定処理部１２３の判定結果に基づいて、第１、第２オンオフ指定の内容が適切か否かを判定する第２判定処理を実行する。具体的には、撮影部位が「四肢」で第１判定処理部１２３で電子カセッテ１３が適切であると判定されているにも関わらず、第１オンオフ指定がオン、第２オンオフ指定がオフで、イオンチャンバー３０を用いてＡＥＣを行う設定であった場合は第１、第２オンオフ指定の内容が適切でないと判定する。この場合、制御部１２２は、イオンチャンバー３０に電源をオフする旨の設定変更コマンドを送信するとともに、第２オンオフ指定をオンにして第２線量検出信号を出力するよう電子カセッテ１３に設定変更コマンドを送信する。
【００９７】
設定変更コマンドを送信する代わりに、オンオフ指定の内容が適切でないことをオペレータに報せるか、あるいは第２判定処理部１２４でオンオフ指定の内容が適切でないと判定されたほうのオンオフ指定を変更するようオペレータに促してもよい。例えば撮影部位が「四肢」で第１判定処理部１２３で電子カセッテ１３が適切であると判定されているにも関わらず、第１オンオフ指定がオン、第２オンオフ指定がオフで、イオンチャンバー３０を用いてＡＥＣを行う設定であった場合、図１７に示す警告ウィンドウ１３０をコンソール１４のディスプレイ４６に表示させ、線量検出センサ３７を用いてＡＥＣを行う設定とするよう促す。
【００９８】
上記各実施形態では、線源制御装置がＸ線の累積線量が目標線量に達したか否かを判定する機能を果たしているが、線源制御装置に判定機能をもたせない代わりに、イオンチャンバーや電子カセッテに判定機能をもたせてもよい。この場合、イオンチャンバーや電子カセッテは、判定機能でＸ線の累積線量が目標線量に達したと判定した場合、ＡＥＣ信号として線源制御装置に照射停止信号を出力する。線源制御装置はイオンチャンバーや電子カセッテからの照射停止信号を受けて、Ｘ線源１０によるＸ線の照射を停止させる。あるいは、判定機能でＸ線の累積線量が目標線量に達したと判定するまで、イオンチャンバーや電子カセッテからＡＥＣ信号として照射継続信号を出力し続け、Ｘ線の累積線量が目標線量に達したと判定したら照射継続信号の出力を止める。線源制御装置は、イオンチャンバーや電子カセッテから照射継続信号を受けているうちはＸ線の照射を継続し、照射継続信号が途絶えたらＸ線源によるＸ線の照射を停止させる。
【００９９】
また、イオンチャンバーが判定機能をもたず、電子カセッテが判定機能をもっていた場合は、線源制御装置はイオンチャンバーからの第1線量検出信号と電子カセッテからの照射停止信号または継続信号とを切り替え可能に受信することが可能で、第１線量検出信号に基づく判定機能を有する構成とする。そして、第1オンオフ指定の際に第１線量検出信号と照射停止信号または継続信号のいずれを受信するかをオペレータに選択させる。あるいは、上記第２実施形態のように、イオンチャンバーをＡＥＣに使用する場合は第１線量検出信号を受信するモードとし、電子カセッテをＡＥＣに使用する場合は照射停止信号または継続信号を受信するモードとするような設定変更コマンドを規制装置から線源制御装置に送信してもよい。
【０１００】
なお、同期信号Ｉ／Ｆ３３と照射信号Ｉ／Ｆ３９で照射開始要求信号と照射許可信号を送受信することでＦＰＤ３５が蓄積動作を開始するタイミングとＸ線の照射開始タイミングとの同期をとっているが、電子カセッテ１３にＸ線の照射開始を検出する機能を設け、該機能でＸ線の照射開始を検出したときにＦＰＤ３５を蓄積動作に移行させてもよい。
【０１０１】
上記各実施形態では、線量検出信号の積算値が照射停止閾値に達したら累積線量が目標線量に達したと判定してＸ線の照射を停止しているが、線量検出信号の積算値に基づきＸ線の累積線量が目標線量に達すると予測される時間を算出し、算出した予測時間に達したときにＸ線の照射を停止してもよい。
【０１０２】
なお、ＦＰＤの各画素にバイアス電圧を供給するバイアス線に画素で発生する電荷に基づく電流が流れることを利用して、ある特定の画素に繋がるバイアス線の電流をモニタリングして線量を検出してもよい。この場合はバイアス線の電流をモニタリングする画素が線量検出センサとなる。同様に画素から流れ出るリーク電流をモニタリングして線量を検出してもよく、この場合もリーク電流をモニタリングする画素が線量検出センサとなる。また、画素とは別に構成が異なり出力が独立した線量検出センサを撮像領域に設けてもよい。
【０１０３】
上記各実施形態では、コンソール１４と電子カセッテ１３が別体である例で説明したが、コンソール１４は独立した装置である必要はなく、電子カセッテ１３にコンソール１４の機能を搭載してもよい。同様に線源制御装置１１とコンソール１４を一体化した装置としてもよい。逆に専用の撮影制御装置を電子カセッテとコンソールの間に接続してもよい。
【０１０４】
線源制御装置からコンソールに第１ＡＥＣ設定情報を送れるよう線源制御装置とコンソールを接続し、コンソールで上記に例示した各種規制処理を行ってもよい。
【０１０５】
本発明の規制装置を構成する各部は、１つの装置に配されていてもよいし、複数の装置に分散して配されていてもよい。また、第１ＡＥＣ信号出力装置としては、例示したイオンチャンバーに限らず、入射線量に応じた電気信号を出力する半導体センサ等で構成されていてもよい。
【０１０６】
さらに、本発明は、Ｘ線に限らず、γ線等の他の放射線を撮影対象とした場合にも適用することができる。
【符号の説明】
【０１０７】
２  Ｘ線撮影システム
２ａ  Ｘ線発生装置
２ｂ  Ｘ線撮影装置
１０  Ｘ線源
１１、９０、９５  線源制御装置
１３  電子カセッテ
１５、８０、１００、１１０、１２０、１２５  規制装置
２６  制御部
２７  メモリ
２８  操作部
２９、９１、９２  ＡＥＣ用Ｉ／Ｆ
３０  イオンチャンバー
３５  ＦＰＤ
３６  制御部
３７  線量検出センサ
４５  入力デバイス
４６  ディスプレイ
５０〜５２  第１〜第３接続Ｉ／Ｆ
５４、５５  第２、第３信号線
５６、９８  セレクタ
５７、８５、１０２、１２２  制御部
６１、８３  メモリ
６５  動作表
８４  コマンド表
９６、９７  検知部
１０１  表示部
１０５、１３０  警告ウィンドウ
１１５  ＡＥＣ設定ウィンドウ
１２１  第４接続Ｉ／Ｆ
１２３、１２４  第１、第２判定処理部
【図１】
2014044856.tif 000003
【図２】
2014044856.tif 000004
【図３】
2014044856.tif 000005
【図４】
2014044856.tif 000006
【図５】
2014044856.tif 000007
【図６】
2014044856.tif 000008
【図７】
2014044856.tif 000009
【図８】
2014044856.tif 000010
【図９】
2014044856.tif 000011
【図１０】
2014044856.tif 000012
【図１１】
2014044856.tif 000013
【図１２】
2014044856.tif 000014
【図１３】
2014044856.tif 000015
【図１４】
2014044856.tif 000016
【図１５】
2014044856.tif 000017
【図１６】
2014044856.tif 000018
【図１７】
2014044856.tif 000019